(57)【特許請求の範囲】
【請求項１】
正面視で、回収箱を含み、前記回収箱の中には上方に開口した固定チャンバが設けられ、前記固定チャンバの左側内壁の中には前記回収箱の右側面を貫通した固定台が回転できるように取り付けられ、前記固定台の中には上方に開口した挟みチャンバが設けられ、前記挟みチャンバの左右両側内壁にはバネチャンバが連通するように設けられ、前記バネチャンバの中には挟み板がスライドできるように取り付けられ、前記挟み板と前記バネチャンバとの間には第一バネが固定的に取り付けられ、前記挟みチャンバの中には円錐形瓶が置かれており、左右両側の前記バネチャンバは前記円錐形瓶をきつく挟むことができ、前記固定台の頂面には固定ロッドが左右対称に回転できるように取り付けられ、左右両側の前記固定ロッドの間には固定板がねじ山によって取り付けられ、前記固定板の中には抜き穴が設けられ、前記固定ロッドの頂面にはノブが固定的に取り付けられ、前記円錐形瓶が前記抜き穴を貫通しており、前記ノブを回すことで前記固定ロッドを回転連動させ、更に前記固定ロッドが回転し前記固定板を上下に移動させ、前記固定板が前記円錐形瓶を押さえることによって、前記円錐形瓶を固定することができ、前記固定チャンバの下方には分離チャンバが連通するように設けられ、前記分離チャンバの中には前記円錐形瓶の中にある固体と液体との化学品を分離できる分離機構が設けられ、前記分離チャンバの下方には左方に開口した攪拌チャンバが連通するように設けられ、前記攪拌チャンバの中には前記分離機構に分離された液体を攪拌し中和する中和機構が設けられ、前記中和機構と前記分離機構との間には動力機構が設けられ、前記分離機構が固体と液体との化学品を分離した後、前記動力機構は固体化学品を移動連動させると同時に前記中和機構を運動連動させることができ、
前記固定チャンバの中には蓋板が回転できるように取り付けられ、前記蓋板は前記固定チャンバを閉鎖でき、前記固定台の右側面には手動揺動棒が固定的に取り付けられ、
前記分離機構は濾過網に構成され、
前記濾過網は前記分離チャンバの左右内壁の間に固定的に取り付けられ、
前記動力機構は押しチャンバと、押しブロックと、噛合チャンバと、伝動チャンバと、モーターと、動力ロッドと、第一歯車と、ネジ山チャンバと、仕切り板と、補助チャンバと、ネジ山ロッドと、伝動ロッドと、第二歯車と、チェーンと、第一傘歯車と、第二傘歯車とから構成され、
前記押しチャンバが前記分離チャンバの左側内壁に連通するように設けられ、前記押しチャンバの中には前記押しチャンバがスライドできるように取り付けられ、前記押しチャンバの左側には前記噛合チャンバが設けられ、前記押しチャンバの左側には前記伝動チャンバが設けられ、前記伝動チャンバの左側内壁の中には前記モーターが固定的に取り付けられ、前記モーターのうち右に向いている出力軸の右側面には前記動力ロッドが固定的に取り付けられ、前記動力ロッドが右に延びて前記押しチャンバの左側内壁を貫通しており、前記動力ロッドと前記押しブロックとがねじ山によって取り付けられ、前記動力ロッドのうち前記伝動チャンバの中には前記第一歯車が固定的に取り付けられ、前記分離チャンバの右側内壁には前記ネジ山チャンバが連通するように設けられ、前記ネジ山チャンバの中には前記仕切り板がスライドできるように取り付けられ、前記ネジ山チャンバの上方には前記補助チャンバが設けられ、前記補助チャンバと前記ネジ山チャンバとの間には前記ネジ山ロッドが回転できるように取り付けられ、前記ネジ山ロッドと前記仕切り板とがねじ山によって取り付けられ、前記補助チャンバと前記伝動チャンバとの間には前記伝動ロッドが回転できるように取り付けられ、前記伝動ロッドが前記分離チャンバの前側に位置し、前記伝動ロッドの左側面には第前記二歯車が固定的に取り付けられ、前記第二歯車と前記第一歯車との間には前記チェーンが伝動できるように取り付けられ、前記伝動ロッドの右側面には前記第一傘歯車が固定的に取り付けられ、前記ねじ山ロッドの頂面には前記第二傘歯車が固定的に取り付けられ、前記第二傘歯車と前記第一傘歯車とが噛合しており、
前記ネジ山チャンバの下方には保存チャンバが連通するように設けられ、前記保存チャンバの中にはドアが回転できるように取り付けられ、
前記押しチャンバの下方にはスライドチャンバが連通するように設けられ、前記スライドチャンバの中には移動ブロックがスライドできるように取り付けられ、前記押しブロックの底面には下方に開口した移動チャンバが設けられ、前記移動チャンバと前記移動ブロックとがスライドできるように取り付けられ、前記移動ブロックの左側面と前記移動チャンバの左側内壁との間には第二バネが固定的に取り付けられ、前記攪拌チャンバの頂壁には流動チャンバが連通するように設けられ、前記流動チャンバの頂壁には上方に開口した中和液チャンバが連通するように設けられ、前記スライドチャンバの左側内壁には連結チャンバが連通するように設けられ、前記連結チャンバの中にはスライドブロックがスライドできるように取り付けられ、前記スライドブロックの頂面と前記移動ブロックの底面とが固定的に連結され、前記スライドブロックの中には空きチャンバが設けられ、前記スライドブロックが前記流動チャンバを貫通しており、前記空きチャンバは前記流動チャンバと連通することができ、
前記中和機構は回転ロッドと、第三傘歯車と、第四傘歯車と、攪拌ロッドとから構成され、
前記回転ロッドが前記噛合チャンバと前記攪拌チャンバとの間に回転できるように取り付けられ、前記回転ロッドの頂面には前記第三傘歯車が固定的に取り付けられ、前記動力ロッドのうち前記噛合チャンバの中に位置したところには前記第四傘歯車が固定的に取り付けられ、前記第四傘歯車が前記第三傘歯車と噛合しており、前記回転ロッドのうち前記攪拌チャンバの中に位置したところには前記攪拌ロッドが固定的に取り付けられ、
前記攪拌チャンバの左側内壁にはゴム栓が設けられていることを特徴とする実験室用使用済みの廃棄化学品の回収装置。
【発明の詳細な説明】
【技術分野】
【０００１】
本発明は廃棄化学品処理技術分野を取り上げて、具体的には実験室用使用済みの廃棄化学品の回収装置である。
【背景技術】
【０００２】
一部の実験室で使用済みの廃棄化学品は強酸性や強アルカリ性であり、これらの強酸性や強アルカリ性の廃棄化学品を処理する必要があり、一般的に、作業員が化学品を専門の容器に入れ、入れる過程において、化学品が飛び散り、作業員の身体にダメージを与える可能性があり、また、もし化学品の中に固体と液体がともにあれば、化学品を専門の容器に入れる過程に、固体と液体の化学品を分離することが難しく、直接に固体の化学品を液体専用の容器に入れる恐れがあり、危険性がある。
【先行技術文献】
【特許文献】
【０００３】
【特許文献１】中国特許出願公開第１０８３２８９４４号明細書
【発明の概要】
【発明が解決しようとする課題】
【０００４】
本発明の目的は実験室用使用済みの廃棄化学品の回収装置を提供し、それは上記の現在の技術中の問題を解決できる。
【課題を解決するための手段】
【０００５】
本発明の実験室用使用済みの廃棄化学品の回収装置は、回収箱を含み、前記回収箱の中には上方に開口した固定チャンバが設けられ、前記固定チャンバの左側内壁の中には前記回収箱の右側面を貫通した固定台が回転できるように取り付けられ、前記固定台の中には上方に開口した挟みチャンバが設けられ、前記挟みチャンバの左右両側内壁にはバネチャンバが連通するように設けられ、前記バネチャンバの中には挟み板がスライドできるように取り付けられ、前記挟み板と前記バネチャンバとの間には第一バネが固定的に取り付けられ、前記挟みチャンバの中には円錐形瓶が置かれており、左右両側の前記バネチャンバは前記円錐形瓶をきつく挟むことができ、前記固定台の頂面には固定ロッドが左右対称に回転できるように取り付けられ、左右両側の前記固定ロッドの間には固定板がねじ山によって取り付けられ、前記固定板の中には抜き穴が設けられ、前記固定ロッドの頂面にはノブが固定的に取り付けられ、前記円錐形瓶が前記抜き穴を貫通しており、前記ノブを回すことで前記固定ロッドを回転連動させ、更に前記固定ロッドが回転し前記固定板を上下に移動させ、前記固定板が前記円錐形瓶を押さえることによって、前記円錐形瓶を固定することができ、
前記固定チャンバの下方には分離チャンバが連通するように設けられ、前記分離チャンバの中には前記円錐形瓶の中にある固体と液体との化学品を分離できる分離機構が設けられ、前記分離チャンバの下方には左方に開口した攪拌チャンバが連通するように設けられ、前記攪拌チャンバの中には前記分離機構に分離された液体を攪拌し中和する中和機構が設けられ、前記中和機構と前記分離機構との間には動力機構が設けられ、前記分離機構が固体と液体との化学品を分離した後、前記動力機構は固体化学品を移動連動させると同時に前記中和機構を運動連動させることができる。
【０００６】
更の技術プラン、前記固定チャンバの中には蓋板が回転できるように取り付けられ、前記蓋板は前記固定チャンバを閉鎖でき、前記固定台の右側面には手動揺動棒が固定的に取り付けられている。
【０００７】
更の技術プラン、前記分離機構は濾過網に構成され、前記濾過網は前記分離チャンバの左右内壁の間に固定的に取り付けられている。
【０００８】
更の技術プラン、前記動力機構は押しチャンバと、押しブロックと、噛合チャンバと、伝動チャンバと、モーターと、動力ロッドと、第一歯車と、ネジ山チャンバと、仕切り板と、補助チャンバと、ネジ山ロッドと、伝動ロッドと、第二歯車と、チェーンと、第一傘歯車と、第二傘歯車とから構成され、前記押しチャンバが前記分離チャンバの左側内壁に連通するように設けられ、前記押しチャンバの中には前記押しチャンバがスライドできるように取り付けられ、前記押しチャンバの左側には前記噛合チャンバが設けられ、前記押しチャンバの左側には前記伝動チャンバが設けられ、前記伝動チャンバの左側内壁の中には前記モーターが固定的に取り付けられ、前記モーターのうち右に向いている出力軸の右側面には前記動力ロッドが固定的に取り付けられ、前記動力ロッドが右に延びて前記押しチャンバの左側内壁を貫通しており、前記動力ロッドと前記押しブロックとがねじ山によって取り付けられ、前記動力ロッドのうち前記伝動チャンバの中には前記第一歯車が固定的に取り付けられ、前記分離チャンバの右側内壁には前記ネジ山チャンバが連通するように設けられ、前記ネジ山チャンバの中には前記仕切り板がスライドできるように取り付けられ、前記ネジ山チャンバの上方には前記補助チャンバが設けられ、前記補助チャンバと前記ネジ山チャンバとの間には前記ネジ山ロッドが回転できるように取り付けられ、前記ネジ山ロッドと前記仕切り板とがねじ山によって取り付けられ、前記補助チャンバと前記伝動チャンバとの間には前記伝動ロッドが回転できるように取り付けられ、前記伝動ロッドが前記分離チャンバの前側に位置し、前記伝動ロッドの左側面には第前記二歯車が固定的に取り付けられ、前記第二歯車と前記第一歯車との間には前記チェーンが伝動できるように取り付けられ、前記伝動ロッドの右側面には前記第一傘歯車が固定的に取り付けられ、前記ねじ山ロッドの頂面には前記第二傘歯車が固定的に取り付けられ、前記第二傘歯車と前記第一傘歯車とが噛合している
【０００９】
更の技術プラン、前記ネジ山チャンバの下方には保存チャンバが連通するように設けられ、前記保存チャンバの中にはドアが回転できるように取り付けられている。
【００１０】
更の技術プラン、前記押しチャンバの下方にはスライドチャンバが連通するように設けられ、前記スライドチャンバの中には移動ブロックがスライドできるように取り付けられ、前記押しブロックの底面には下方に開口した移動チャンバが設けられ、前記移動チャンバと前記移動ブロックとがスライドできるように取り付けられ、前記移動ブロックの左側面と前記移動チャンバの左側内壁との間には第二バネが固定的に取り付けられ、前記攪拌チャンバの頂壁には流動チャンバが連通するように設けられ、前記流動チャンバの頂壁には上方に開口した中和液チャンバが連通するように設けられ、前記スライドチャンバの左側内壁には連結チャンバが連通するように設けられ、前記連結チャンバの中にはスライドブロックがスライドできるように取り付けられ、前記スライドブロックの頂面と前記移動ブロックの底面とが固定的に連結され、前記スライドブロックの中には空きチャンバが設けられ、前記スライドブロックが前記流動チャンバを貫通しており、前記空きチャンバは前記流動チャンバと連通することができる。
【００１１】
更の技術プラン、前記中和機構は回転ロッドと、第三傘歯車と、第四傘歯車と、攪拌ロッドとから構成され、前記回転ロッドが前記噛合チャンバと前記攪拌チャンバとの間に回転できるように取り付けられ、前記回転ロッドの頂面には前記第三傘歯車が固定的に取り付けられ、前記動力ロッドのうち前記噛合チャンバの中に位置したところには前記第四傘歯車が固定的に取り付けられ、前記第四傘歯車が前記第三傘歯車と噛合しており、前記回転ロッドのうち前記攪拌チャンバの中に位置したところには前記攪拌ロッドが固定的に取り付けられている。
【００１２】
更の技術プラン、前記攪拌チャンバの左側内壁にはゴム栓が設けられている。
【発明の効果】
【００１３】
本発明は固定板と左右両側の挟み板とにより円錐形瓶を固定でき、そして手動揺動棒と固定台を回転させ、円錐形瓶の中の化学品を分離チャンバの中に入れ分離し、円錐形瓶の中の化学品が作業員の体に飛び散ることを防止し、作業員の安全を保証し、濾過網に分離された液体が攪拌チャンバの中に入り、固体化学品が動力機構の中の押しブロックに押されて保存チャンバの中に入り収納され、押しブロックが右方へ移動する過程に、中和液チャンバの中の中和液は攪拌チャンバの中に入ると同時に中和機構の中の攪拌ロッドが回転し中和液と分離された液体化学品とを攪拌し中和し、分離された液体化学品の強酸や強アルカリを除くことができ、普及価値がある。
【図面の簡単な説明】
【００１４】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の実験室用使用済みの廃棄化学品の回収装置の構成略図
【図２】図２は本発明の固定台の上面構成略図
【図３】図３は図１のＡ―Ａ方向の断面構成略図
【図４】図４は図１のＢの拡大略図
【発明を実施するための形態】
【００１６】
図１〜４を参照し、本発明の実験室用使用済みの廃棄化学品の回収装置は、回収箱１６を含み、前記回収箱１６の中には上方に開口した固定チャンバ２７が設けられ、前記固定チャンバ２７の左側内壁の中には前記回収箱１６の右側面を貫通した固定台２３が回転できるように取り付けられ、前記固定台２３の中には上方に開口した挟みチャンバ６０が設けられ、前記挟みチャンバ６０の左右両側内壁にはバネチャンバ５８が連通するように設けられ、前記バネチャンバ５８の中には挟み板５９がスライドできるように取り付けられ、前記挟み板５９と前記バネチャンバ５８との間には第一バネ５７が固定的に取り付けられ、前記挟みチャンバ６０の中には円錐形瓶６２が置かれており、左右両側の前記バネチャンバ５８は前記円錐形瓶６２をきつく挟むことができ、前記固定台２３の頂面には固定ロッド２６が左右対称に回転できるように取り付けられ、左右両側の前記固定ロッド２６の間には固定板２５がねじ山によって取り付けられ、前記固定板２５の中には抜き穴２４が設けられ、前記固定ロッド２６の頂面にはノブ２２が固定的に取り付けられ、前記円錐形瓶６２が前記抜き穴２４を貫通しており、前記ノブ２２を回すことで前記固定ロッド２６を回転連動させ、更に前記固定ロッド２６が回転し前記固定板２５を上下に移動させ、前記固定板２５が前記円錐形瓶６２を押さえることによって、前記円錐形瓶６２を固定することができ、前記固定チャンバ２７の下方には分離チャンバ２８が連通するように設けられ、前記分離チャンバ２８の中には前記円錐形瓶６２の中にある固体と液体との化学品を分離できる分離機構１０１が設けられ、前記分離チャンバ２８の下方には左方に開口した攪拌チャンバ４０が連通するように設けられ、前記攪拌チャンバ４０の中には前記分離機構１０１に分離された液体を攪拌し中和する中和機構１０２が設けられ、前記中和機構１０２と前記分離機構１０１との間には動力機構１０３が設けられ、前記分離機構１０１が固体と液体との化学品を分離した後、前記動力機構１０３は固体化学品を移動連動させると同時に前記中和機構１０２を運動連動させることができる。
【００１７】
前記固定チャンバ２７の中には蓋板５５が回転できるように取り付けられ、前記蓋板５５は前記固定チャンバ２７を閉鎖でき、前記固定台２３の右側面には手動揺動棒２１が固定的に取り付けられ、前記手動揺動棒２１を回転させることにより前記固定台２３と前記円錐形瓶６２を回転連動させて前記円錐形瓶６２の中の固体化学品と液体化学品とを前記分離チャンバ２８の中に入れることができる。
【００１８】
前記分離機構１０１は前記分離チャンバ２８の左右内壁の間に固定的に取り付けられた濾過網４８を含み、前記濾過網４８は前記円錐形瓶６２の中の固体化学品と液体化学品とを分離できる。
【００１９】
前記動力機構１０３は前記分離チャンバ２８の左側内壁に連通するように設けられた押しチャンバ５３を含み、前記押しチャンバ５３の中には押しブロック５２がスライドできるように取り付けられ、前記押しチャンバ５３の左側には噛合チャンバ３３が設けられ、前記噛合チャンバ３３の左側には伝動チャンバ３１が設けられ、前記伝動チャンバ３１の左側内壁の中にはモーター３５が固定的に取り付けられ、前記モーター３５のうち右に向いている出力軸の右側面には動力ロッド３６が固定的に取り付けられ、前記動力ロッド３６が右に延びて前記押しチャンバ５３の左側内壁を貫通しており、前記動力ロッド３６と前記押しブロック５２とがねじ山によって取り付けられ、前記動力ロッド３６のうち前記伝動チャンバ３１の中には第一歯車３４が固定的に取り付けられ、前記分離チャンバ２８の右側内壁にはネジ山チャンバ１７が連通するように設けられ、前記ネジ山チャンバ１７の中には仕切り板１３がスライドできるように取り付けられ、前記ネジ山チャンバ１７の上方には補助チャンバ１９が設けられ、前記補助チャンバ１９と前記ネジ山チャンバ１７との間にはネジ山ロッド１５が回転できるように取り付けられ、前記ネジ山ロッド１５と前記仕切り板１３とがねじ山によって取り付けられ、前記補助チャンバ１９と前記伝動チャンバ３１との間には伝動ロッド２９が回転できるように取り付けられ、前記伝動ロッド２９が前記分離チャンバ２８の前側に位置し、前記伝動ロッド２９の左側面には第二歯車３０が固定的に取り付けられ、前記第二歯車３０と前記第一歯車３４との間にはチェーン３２が伝動できるように取り付けられ、前記伝動ロッド２９の右側面には第一傘歯車２０が固定的に取り付けられ、前記ねじ山ロッド１５の頂面には第二傘歯車１８が固定的に取り付けられ、前記第二傘歯車１８と前記第一傘歯車２０とが噛合しており、これによって濾過網４８が固体化学品と液体化学品とを分離した後、モーター３５が作動し動力ロッド３６を回転連動させ、動力ロッド３６が回転し押しブロック５２を右へ移動連動させ、第一歯車３４がチェーン３２によって第二歯車３０と伝動ロッド２９とを回転連動させ、伝動ロッド２９が回転し第一傘歯車２０を回転連動させ、第一傘歯車２０が第二傘歯車１８との噛合によりねじ山ロッド１５を回転連動させ、ねじ山ロッド１５が回転し仕切り板１３を上方へ移動連動させ、押しブロック５２が濾過網４８にある固体化学品を押し動かして右へ移動させる。
【００２０】
前記ネジ山チャンバ１７の下方には保存チャンバ１２が連通するように設けられ、前記保存チャンバ１２の中にはドア１１が回転できるように取り付けられ、前記ドア１１が前記保存チャンバ１２を閉鎖でき、前記押しブロック５２に押し動かされた固体化学品が前記保存チャンバ１２の中に入り収納される。
【００２１】
前記押しチャンバ５３の下方にはスライドチャンバ４７が連通するように設けられ、前記スライドチャンバ４７の中には移動ブロック４９がスライドできるように取り付けられ、前記押しブロック５２の底面には下方に開口した移動チャンバ５０が設けられ、前記移動チャンバ５０と前記移動ブロック４９とがスライドできるように取り付けられ、前記移動ブロック４９の左側面と前記移動チャンバ５０の左側内壁との間には第二バネ５４が固定的に取り付けられ、前記攪拌チャンバ４０の頂壁には流動チャンバ４６が連通するように設けられ、前記流動チャンバ４６の頂壁には上方に開口した中和液チャンバ５６が連通するように設けられ、前記スライドチャンバ４７の左側内壁には連結チャンバ４３が連通するように設けられ、前記連結チャンバ４３の中にはスライドブロック４４がスライドできるように取り付けられ、前記スライドブロック４４の頂面と前記移動ブロック４９の底面とが固定的に連結され、前記スライドブロック４４の中には空きチャンバ４５が設けられ、前記スライドブロック４４が前記流動チャンバ４６を貫通しており、前記空きチャンバ４５は前記流動チャンバ４６と連通することができ、これによって押しブロック５２が右方に移動する時、押しブロック５２が第二バネ５４により移動ブロック４９とスライドブロック４４とを右方に移動連動させ、空きチャンバ４５と流動チャンバ４６とを連通させ、中和液チャンバ５６の中の中和液が流動チャンバ４６を経由して攪拌チャンバ４０の中に入り、分離された液体化学品と中和し、移動ブロック４９がスライドチャンバ４７の右側内壁に移動した時、押しブロック５２は引き続きに右方に移動することができる。
【００２２】
前記中和機構１０２は前記噛合チャンバ３３と前記攪拌チャンバ４０との間に回転できるように取り付けられた回転ロッド３９を含み、前記回転ロッド３９の頂面には第三傘歯車３８が固定的に取り付けられ、前記動力ロッド３６のうち前記噛合チャンバ３３の中に位置したところには第四傘歯車３７が固定的に取り付けられ、前記第四傘歯車３７が前記第三傘歯車３８と噛合しており、前記回転ロッド３９のうち前記攪拌チャンバ４０の中に位置したところには攪拌ロッド４１が固定的に取り付けられ、これによって動力ロッド３６が回転する時、動力ロッド３６が第四傘歯車３７と第三傘歯車３８との噛合により回転ロッド３９を回転連動させ、回転ロッド３９が回転し攪拌ロッド４１を回転連動させ、中和液と分離後の液体化学品とを中和する。
【００２３】
前記攪拌チャンバ４０の左側内壁にはゴム栓４２が設けられ、前記ゴム栓４２は前記攪拌チャンバ４０を塞いた時に前記攪拌チャンバ４０の中の液体の流出を防止でき、前記ゴム栓４２を抜き出すことにより、前記攪拌チャンバ４０の中の液体を出すことができる。
【００２４】
使用時に、蓋板５５を開け、円錐形瓶６２を挟みチャンバ６０の中に置き、左右両側のバネチャンバ５８は円錐形瓶６２をきつく挟むことができ、前記ノブ２２を回転させることにより固定ロッド２６を回転連動させ、固定ロッド２６が回転し固定板２５を上下に移動させ、固定板２５が円錐形瓶６２を押さえ、円錐形瓶６２を固定し、手動揺動棒２１を回転させることにより固定台２３と円錐形瓶６２を回転連動させることができ、円錐形瓶６２の中の固体化学品と液体化学品とを分離チャンバ２８の中に入れ、濾過網４８は円錐形瓶６２の中の固体化学品と液体化学品とを分離でき、濾過網４８が固体化学品と液体化学品とを分離した後、モーター３５が作動し動力ロッド３６を回転連動させ、動力ロッド３６が回転し押しブロック５２を右へ移動連動させ、第一歯車３４がチェーン３２によって第二歯車３０と伝動ロッド２９とを回転連動させ、伝動ロッド２９が回転し第一傘歯車２０を回転連動させ、第一傘歯車２０が第二傘歯車１８との噛合によりねじ山ロッド１５を回転連動させ、ねじ山ロッド１５が回転し仕切り板１３を上方へ移動連動させ、押しブロック５２が濾過網４８にある固体化学品を押し動かして右へ移動させ、固体化学品が保存チャンバ１２の中に入り収納され、押しブロック５２が右方に移動する時、押しブロック５２が第二バネ５４により移動ブロック４９とスライドブロック４４とを右方に移動連動させ、空きチャンバ４５と流動チャンバ４６とを連通させ、中和液チャンバ５６の中の中和液が流動チャンバ４６を経由して攪拌チャンバ４０の中に入り、動力ロッド３６が第四傘歯車３７と第三傘歯車３８との噛合により回転ロッド３９を回転連動させ、回転ロッド３９が回転し攪拌ロッド４１を回転連動させ、中和液と分離後の液体化学品とを中和する。
【００２５】
本発明の有益効果は：本発明は固定板と左右両側の挟み板とにより円錐形瓶を固定でき、そして手動揺動棒と固定台を回転させ、円錐形瓶の中の化学品を分離チャンバの中に入れ分離し、円錐形瓶の中の化学品が作業員の体に飛び散ることを防止し、作業員の安全を保証し、濾過網に分離された液体が攪拌チャンバの中に入り、固体化学品が動力機構の中の押しブロックに押されて保存チャンバの中に入り収納され、押しブロックが右方へ移動する過程に、中和液チャンバの中の中和液は攪拌チャンバの中に入ると同時に中和機構の中の攪拌ロッドが回転し中和液と分離された液体化学品とを攪拌し中和し、分離された液体化学品の強酸や強アルカリを除くことができ、普及価値がある。
【００２６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
0006808123.tif 000002
【図２】
0006808123.tif 000003
【図３】
0006808123.tif 000004
【図４】
0006808123.tif 000005